【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
天板の両端に梯子状の脚体を設け、天板の四隅部に手掛かり棒を立設した可搬式作業台において、天板長手方向に対向する手掛かり棒の先端部間に、天板端部であることを知らせるための感知ロッドを架け渡すにあたり、この感知ロッドを、対向する一方の手掛かり棒の先端部から天板長手方向に水平に突出可能でこの手掛かり棒に沿って折り畳み可能な第１部材と、第１部材の先端部から同直線状に突出可能で第１部材に沿って折り畳み可能な第２部材と、他方の手掛かり棒の先端部から天板長手方向に水平に突出可能でこの手掛かり棒に沿って折り畳み可能な第３部材と、第３部材の先端部から同直線状に突出して第２部材と連結可能で第３部材に沿って折り畳み可能な第４部材とによって構成してなる可搬式作業台。
【請求項２】
天板の両端に梯子状の脚体を設け、天板の四隅部に手掛かり棒を立設した可搬式作業台において、天板長手方向に対向する手掛かり棒の先端部間に、天板端部であることを知らせるための感知ロッドを架け渡すにあたり、この感知ロッドを、対向する一方の手掛かり棒の先端部から天板長手方向に水平に突出可能でこの手掛かり棒に沿って折り畳み可能な中空状の第１部材と、第１部材の中空部から天板長手方向に同軸に伸長可能で且つ第１部材の中空部に収納可能な第２部材と、他方の手掛かり棒の先端部から天板長手方向に水平に突出可能でこの手掛かり棒に沿って折り畳み可能な第３部材と、第３部材の中空部から天板長手方向に同軸に伸長して第２部材と連結可能で且つ第３部材の中空部に収納可能な第４部材とによって構成してなる可搬式作業台。
【請求項３】
一方の手掛かり棒には、感知ロッドの第２部材を畳み込んだ第１部材を手掛かり棒に沿って折り畳んだ状態でこれらを手掛かり棒に沿って保持する感知ロッド折り畳み保持手段を設け、他方の手掛かり棒にも、第４部材を畳み込んだ第３部材を手掛かり棒に沿って折り畳んだ状態でこれらを手掛かり棒に沿って保持する感知ロッド折り畳み保持手段を設けてなる請求項１に記載の可搬式作業台。
【請求項４】
一方の手掛かり棒から第１部材及び第２部材を水平に延出させた状態で、他方の手掛かり棒から第３部材を水平に突出させ、第３部材に連結される第４部材を更に第２部材に連結するために、第２部材と第４部材との間には、位置決め手段と連結手段が介装されている請求項１又は３に記載の可搬式作業台。
【請求項５】
一方の手掛かり棒には、感知ロッドの第２部材を第１部材の中空部に収納してなる第１部材を手掛かり棒に沿って折り畳んだ状態でこれらを手掛かり棒に沿って保持する感知ロッド折り畳み保持手段を設け、他方の手掛かり棒にも、第４部材を第３部材の中空部に収納してなる第３部材を手掛かり棒に沿って折り畳んだ状態でこれらを手掛かり棒に沿って保持する感知ロッド折り畳み保持手段を設けてなる請求項２に記載の可搬式作業台。
【請求項６】
天板上に設置されている既設の手掛かり棒の上端部に、所要長さの継ぎ足し棒を連結具によって継ぎ足し、天板長手方向に対向する継ぎ足し棒間に感知ロッドを架け渡すようにした請求項１〜５の何れかに記載の可搬式作業台。
【手続補正２】
【補正対象書類名】明細書
【補正対象項目名】０００６
【補正方法】変更
【補正の内容】
【０００６】
上記課題を解決するための手段を、後述する実施形態の参照符号を付して説明すると、請求項１に係る発明は、天板１の両端に梯子状の脚体２，２を設け、天板１の四隅部に手掛かり棒５を立設した可搬式作業台において、天板長手方向に対向する手掛かり棒５，５の先端部間に、天板端部であることを知らせるための感知ロッド７を架け渡すにあたり、この感知ロッド７を、対向する一方の手掛かり棒５の先端部から天板長手方向に水平に突出可能でこの手掛かり棒５に沿って折り畳み可能な第１部材８と、第１部材８の先端部から同直線状に突出可能で第１部材８に沿って折り畳み可能な第２部材９と、他方の手掛かり棒５の先端部から天板長手方向に水平に突出可能でこの手掛かり棒５に沿って折り畳み可能な第３部材１０と、第３部材１０の先端部から同直線状に突出して第２部材９と連結可能で且つ第３部材１０に沿って折り畳み可能な第４部材１１とによって構成してなることを特徴としている。
【手続補正３】
【補正対象書類名】明細書
【補正対象項目名】０００７
【補正方法】変更
【補正の内容】
【０００７】
請求項２に係る発明は、天板１の両端に梯子状の脚体２，２を設け、天板１の四隅部に手掛かり棒５を立設した可搬式作業台において、天板長手方向に対向する手掛かり棒５，５の先端部間に、天板端部であることを知らせるための感知ロッド７を架け渡すにあたり、この感知ロッド７を、対向する一方の手掛かり棒５の先端部から天板長手方向に水平に突出可能でこの手掛かり棒５に沿って折り畳み可能な中空状の第１部材８と、第１部材８の中空部８ａから天板長手方向に同軸に伸長可能で且つ第１部材８の中空部８ａに収納可能な第２部材９と、他方の手掛かり棒５の先端部から天板長手方向に水平に突出可能でこの手掛かり棒５に沿って折り畳み可能な第３部材１０と、第３部材１０の中空部１０ａから天板長手方向に同軸に伸長して第２部材９と連結可能で且つ第３部材１０の中空部１０ａに収納可能な第４部材１１とによって構成してなることを特徴としている。
【手続補正４】
【補正対象書類名】明細書
【補正対象項目名】００１２
【補正方法】変更
【補正の内容】
【００１２】
上記解決手段による発明の効果を、後述する実施形態の参照符号を付して説明すると、請求項１に係る発明によれば、対向する手掛かり棒５，５の先端部間に架け渡される感知ロッド７を、一方の手掛かり棒５の先端部から天板長手方向に水平に突出可能でこの手掛かり棒５に沿って折り畳み可能な第１部材８と、第１部材８の先端部から同直線状に突出可能で第１部材８に沿って折り畳み可能な第２部材９と、他方の手掛かり棒５の先端部から天板長手方向に水平に突出可能でこの手掛かり棒５に沿って折り畳み可能な第３部材１０と、第３部材１０の先端部から同直線状に突出して第２部材９と連結可能で且つ第３部材１０に沿って折り畳み可能な第４部材１１とから構成したもので、不使用時は第１部材８と第２部材９、及び第３部材１０と第４部材１１を各手掛かり棒５に沿って簡単に折り畳みできるため邪魔にならず、また使用する時は折り畳んだ状態から簡単容易に使用状態とすることができ、感知ロッド７の取付け、取り外しを迅速容易に行うことができる。
【手続補正５】
【補正対象書類名】明細書
【補正対象項目名】００１４
【補正方法】変更
【補正の内容】
【００１４】
請求項２に係る発明は、天板１の両端に梯子状の脚体２，２を設け、天板１の四隅部に手掛かり棒５を立設した可搬式作業台において、天板長手方向に対向する手掛かり棒５，５の先端部間に、天板端部であることを知らせるための感知ロッド７を架け渡すにあたり、この感知ロッド７を、対向する一方の手掛かり棒５の先端部から天板長手方向に水平に突出可能でこの手掛かり棒５に沿って折り畳み可能な中空状の第１部材８と、第１部材８の中空部８ａから天板長手方向に同軸に伸長可能で且つ第１部材８の中空部８ａに収納可能な第２部材９と、他方の手掛かり棒５の先端部から天板長手方向に水平に突出可能でこの手掛かり棒５に沿って折り畳み可能な第３部材１０と、第３部材１０の中空部１０ａから天板長手方向に同軸に伸長して第２部材９と連結可能で且つ第３部材１０の中空部１０ａに収納可能な第４部材１１とによって構成したもので、不使用時は第１部材８の中空部８ａに第２部材９を収納して状態で、又、第３部材１０の中空部１０ａに第４部材１１を収納した状態で第１部材８と第３部材１０を各手掛かり棒５に沿って簡単に折り畳みできるため邪魔にならず、また使用する時は折り畳んだ状態から簡単容易に使用状態とすることができ、感知ロッド７の取付け、取り外しを迅速容易に行うことができる。
【手続補正６】
【補正対象書類名】明細書
【補正対象項目名】００３８
【補正方法】変更
【補正の内容】
【００３８】
以上説明した可搬式作業台Ｔにおける最大の特徴は、天板長手方向に対向する手掛かり棒５，５の先端部間に架け渡される感知ロッド７を、対向する一方の手掛かり棒５の先端部から天板長手方向に水平に突出可能でこの手掛かり棒５に沿って折り畳み可能な第１部材８と、第１部材８の先端部から同直線状に突出可能で第１部材８に沿って折り畳み可能な第２部材９と、他方の手掛かり棒５の先端部から天板長手方向に水平に突出可能でこの手掛かり棒５に沿って折り畳み可能な第３部材１０と、第３部材１０の先端部から同直線状に突出して第２部材９と連結可能で且つ第３部材１０に沿って折り畳み可能な第４部材１１とから構成したことであって、手掛かり棒５の長さも第１部材８及び第２部材９の長さと同等の長さとすることができ、必要以上に長い手掛かり棒５を備える必要がない、という格別の作用効果を奏する。
【手続補正７】
【補正対象書類名】明細書
【補正対象項目名】００５６
【補正方法】変更
【補正の内容】
【００５６】
なお、本発明において、感知ロッドを天板長さの約１／３の長さの部材からなると記載されているが、構成部材としては第１部材から第４部材の４部材からなり、これらの部材の一部が、これまでの説明から明らかなように互いに重合して連結されて、外観視として図１、図３、図９又は図１１の（ａ）に示すように、天板長さの約１／３の長さの部材からなるように用いられるという意味に理解されるべきであり、第１部材８又は第３部材が必ずしも天板長さの約１／３の長さに限定されるというものではない。